(57)【特許請求の範囲】
【請求項１】
予め定められた受信スロットタイミング及び送信スロットタイミングにより基地局との通信を行い、受信スロットに同期した再生クロックを生成する受信部と、前記再生クロックと前記送信スロットタイミングを決める送信クロックとの位相差に基づき、前記送信クロックのタイミングを調整する送信タイミング調整部とを備える移動端末機において、
前記送信タイミング調整部は、
前記再生クロックと、前記再生クロックに位相同期した前記送信クロックとの位相差を前記再生クロックの周期ごとに検出して生成した位相差データに基づく位相差瞬時値と、前記再生クロックの複数周期に渡る受信スロット期間における前記位相差データの位相差平均値とを出力する位相差調整データ出力手段と、
前記受信スロット期間における前記位相差データの変動幅を監視し、当該変動幅が予め定めた第一の所定値を超えたときに警告信号を出力する位相差異常検知手段と、
前記位相差調整データ出力手段から受信する前記受信スロット期間における位相差平均値の変動幅を監視し、当該変動幅が予め定めた第二の所定値を超えたときには前記位相差瞬時値に基づき前記送信クロックのタイミング調整処理を実行し、前記位相差異常検知手段から前記警告信号を受信したときには前記送信クロックのタイミング調整処理を停止する制御手段と
を有することを特徴とする移動端末機。
【請求項２】
予め定められた受信スロットタイミング及び送信スロットタイミングにより基地局との通信を行い、受信スロットに同期した再生クロックを生成して復調する受信部と、前記再生クロックと前記送信スロットタイミングを決める送信クロックとの位相差に基づき、前記送信クロックのタイミングを調整する送信タイミング調整部とを備える移動端末機において、
前記送信タイミング調整部は、前記受信部の復調におけるビットエラーレートに基づき回線品質を推定する手段を有し、前記回線品質が予め設定した状態よりも劣化したときは、前記送信クロックのタイミング調整処理を停止することを特徴とする移動端末機。
【請求項３】
予め定められた受信スロットタイミング及び送信スロットタイミングにより基地局との通信を行い、受信スロットに同期した再生クロックを生成して復調する受信部と、前記再生クロックと前記送信スロットタイミングを決める送信クロックとの位相差に基づき、前記送信クロックのタイミングを調整する送信タイミング調整部とを備える移動端末機において、
前記送信タイミング調整部は、
前記受信部の復調におけるビットエラーレートに基づき回線品質を推定し、前記回線品質が予め設定した状態よりも劣化したときに第一の警告信号を出力する回線品質推定手段と、
前記再生クロックと位相同期した送信クロックとの位相差を前記再生クロックの周期ごとに検出し、前記再生クロックの複数周期に渡る受信スロット期間において前記位相差の変動幅を監視し、当該変動幅が所定値を超えたときに第二の警告信号を出力する位相差変動幅監視手段と、
前記第一の警告信号と前記第二の警告信号のいずれか又は両方の警告信号を受信すると、前記送信クロックのタイミング調整処理を停止する制御を行う制御手段と
を有することを特徴とする移動端末機。
【請求項４】
前記回線品質推定手段は、前記受信部の復調における受信信号の信号点と正規の信号点との位相情報に基づきビットエラーレートを算出し少なくとも受信スロット期間よりも長い期間に亘るビットエラーレートの平均値を求めて回線品質状態を推定する回線品質推定回路を有することを特徴とする請求項３記載の移動端末機。
【請求項５】
送信クロックに応じて送信スロットを出力する送信部と、受信スロットに同期した再生クロックを生成して復調する受信部と、システムクロックの分周出力を前記再生クロックに同期するようにタイミング調整し前記送信クロックとして出力する送信タイミング調整部とを備える移動端末機において、
前記送信タイミング調整部は、前記再生クロックと前記送信クロックとの位相差を監視し、前記受信スロットの期間内における前記位相差の変動幅が所定値を超えたときは、前記送信クロックのタイミング調整処理を停止し、
さらに、前記送信タイミング調整部は、前記受信部の復調におけるビットエラーレートの平均値に基づき回線品質を推定する手段を有し、前記回線品質が予め設定した状態よりも劣化したときは、前記送信クロックのタイミング調整処理を停止する
ことを特徴とする移動端末機。
【発明の詳細な説明】
【０００１】
【発明の属する技術分野】
本発明は移動端末機に関し、特にＴＤＭＡ（時分割多重）方式の移動端末機に適用する送信タイミング調整機能に関する。
【０００２】
【従来の技術】
ＴＤＭＡ（時分割多重）通信においては、送信スロットのタイミングおよび受信スロットのタイミングが予め定められている。各移動端末機は基地局から割り当てられた互いに異なる送信スロットタイミングおよび受信スロットタイミングにより基地局との通信を行っている。
【０００３】
ところで、送信スロットのタイミングずれが生じた場合には、これが他の移動端末機や基地局にとって妨害波となり、最悪の場合は通信が切断されてしまうことになる。
【０００４】
このような送信タイミングのズレによる他の移動端末機および基地局への妨害や通信切断等を防止するため、例えば、移動端末機側において、基地局と移動端末機との距離に基づく最適タイミングを測定し、送信タイミングにズレが生じないように自動調整している。（例えば、特許文献１参照。）
【特許文献１】
特開平１０−３２２７６５号公報（第１−２頁）
【０００５】
【発明が解決しようとする課題】
しかし上述した従来例では、回線品質がフェージング等により一時的に劣化して測定結果に乱れが生じた場合、誤った測定結果により送信タイミングの自動調整が行われる結果、逆に送信タイミングにズレが生じて、他の移動端末機および基地局に妨害を与えたり、回線が切断されてしまうという問題点を有している。
【０００６】
本発明の目的は、回線品質が劣化した場合に、送信タイミング調整の誤動作による他の移動端末機および基地局への妨害や回線切断を防止できる移動端末機を提供することにある。
【０００７】
【課題を解決するための手段】
本発明の移動端末機は、予め定められた受信スロットタイミング及び送信スロットタイミングにより基地局との通信を行い、受信スロットに同期した再生クロックを生成する受信部と、再生クロックと送信スロットタイミングを決める送信クロックとの位相差に基づき、送信クロックのタイミングを調整する送信タイミング調整部とを備える移動端末機に係るものである。前記送信タイミング調整部は、位相差調整データ出力手段、位相差異常検知手段及び制御手段の３つの手段から構成される。位相差調整データ出力手段は、再生クロックと、この再生クロックに位相同期した送信クロックとの位相差を再生クロックの周期ごとに検出して生成した位相差データに基づく位相差瞬時値と、再生クロックの複数周期に渡る受信スロット期間における位相差データの位相差平均値とを出力する。位相差異常検知手段は、前記受信スロット期間における位相差データの変動幅を監視し、当該変動幅が予め定めた第一の所定値を超えたときに警告信号を出力する。そして、制御手段は、位相差調整データ出力手段から受信する前記受信スロット期間における位相差平均値の変動幅を監視し、当該変動幅が予め定めた第二の所定値を超えたときには位相差瞬時値に基づき送信クロックのタイミング調整処理を実行し、位相差異常検知手段から警告信号を受信したときには送信クロックのタイミング調整処理を停止する制御を行う。
【０００８】
また、本発明の移動端末機は、予め定められた受信スロットタイミング及び送信スロットタイミングにより基地局との通信を行い、受信スロットに同期した再生クロックを生成して復調する受信部と、再生クロックと送信スロットタイミングを決める送信クロックとの位相差に基づき、送信クロックのタイミングを調整する送信タイミング調整部とを備え、この送信タイミング調整部は、受信部の復調におけるビットエラーレートに基づき回線品質を推定する手段を有し、回線品質が予め設定した状態よりも劣化したときは、送信クロックのタイミング調整処理を停止する。
【０００９】
さらに本発明の移動端末機は、予め定められた受信スロットタイミング及び送信スロットタイミングにより基地局との通信を行い、受信スロットに同期した再生クロックを生成して復調する受信部と、再生クロックと送信スロットタイミングを決める送信クロックとの位相差に基づき、前記送信クロックのタイミングを調整する送信タイミング調整部とを備え、この送信タイミング調整部は、受信部の復調におけるビットエラーレートに基づき回線品質を推定し、回線品質が予め設定した状態よりも劣化したときに第一の警告信号を出力する回線品質推定手段と、再生クロックと位相同期した送信クロックとの位相差を再生クロックの周期ごとに検出し、再生クロックの複数周期に渡る受信スロット期間において位相差の変動幅を監視し、変動幅が所定値を超えたときに第二の警告信号を出力する位相差変動幅監視手段と、第一の警告信号と第二の警告信号のいずれか又は両方の警告信号を受信すると、送信クロックのタイミング調整処理を停止する制御を行う制御手段とを有する。
【００１０】
また、回線品質推定手段は、受信部の復調における受信信号の信号点と正規の信号点との位相情報に基づきビットエラーレートを算出し少なくとも受信スロット期間よりも長い期間に亘るビットエラーレートの平均値を求めて回線品質状態を推定する回線品質推定回路を有する。
【００１１】
さらに本発明の移動機端末は、送信クロックに応じて送信スロットを出力する送信部と、受信スロットに同期した再生クロックを生成して復調する受信部と、システムクロックの分周出力を前記再生クロックに同期するようにタイミング調整し送信クロックとして出力する送信タイミング調整部とを備える。送信タイミング調整部は、再生クロックと送信クロックとの位相差を監視し、受信スロットの期間内における位相差の変動幅が所定値を超えたときは、送信クロックのタイミング調整処理を停止する。さらに、この送信タイミング調整部は、受信部の復調におけるビットエラーレートの平均値に基づき回線品質を推定する手段を有し、回線品質が予め設定した状態よりも劣化したときは、送信クロックのタイミング調整処理を停止する。
【００１３】
【発明の実施の形態】
次に本発明について図面を参照して説明する。
【００１４】
図１は本発明の一実施形態を示すブロック図であり、送信タイミング調整機能を有する移動端末機の構成例を示している。
【００１５】
この移動端末機は、アンテナ１と、アンテナを送受信共用するためのアンテナ共用器２と、送信タイミング調整部５から出力される送信クロック（ＴＸＣＬＫ）に応じて送信信号（送信スロット）Ｓｔを出力する送信部３と、受信信号（受信スロット）Ｓｒを受信し受信スロットに同期した再生クロック（ＲＸＣＬＫ）を生成して受信データを復調する受信部４と、タイミングが調整された前記送信クロック（ＴＸＣＬＫ）を出力する送信タイミング調整部５とを備えている。
【００１６】
ここで、受信部４は、図１に示したように、受信信号ＳｒをＩＦ信号（中間周波信号）に周波数変換して再生クロック（ＲＸＣＬＫ）に基づき検波復調する受信復調回路４１と、再生クロック（ＲＸＣＬＫ）を生成する再生クロック生成回路４２とを有している。
【００１７】
そして、受信復調回路４１は、受信データの信号点と正規の信号点との位相差を示す位相情報Ｄｐを出力すると共に、受信データの同期ワードを検出して受信スロットの受信完了を示す受信完了割り込み信号（ＲＸＩＮＴ）をそれぞれ出力する。また、再生クロック生成回路４２は、システムクロック（ＳＹＳＣＬＫ）および位相情報Ｄｐをそれぞれ受けて受信スロットに同期した再生クロック（ＲＸＣＬＫ）を生成する。
【００１８】
送信タイミング調整部５は、図１に示したように、システムクロック（ＳＹＳＣＬＫ）から送信クロック（ＴＸＣＬＫ）を生成する送信クロック生成回路５１と、受信部４から出力される位相情報Ｄｐに基づき回線品質を推定して回線品質情報Ｄｑを出力する回線品質推定回路５２と、送信クロック（ＴＸＣＬＫ）と再生クロック（ＲＸＣＬＫ）との位相差を検出する位相比較回路５３と、位相比較回路５３が出力する位相差データＤｏをラッチして位相差の瞬時値Ｄ１を出力する位相差瞬時値回路５４と、位相差データＤｏに基づき位相差の平均値Ｄ２を出力する位相差平均値回路５５と、位相差データＤｏに基づき位相差の異常を検出し警告信号Ｄ３を出力する位相差異常検知回路５６と、位相差瞬時値Ｄ１、位相差の平均値Ｄ２、警告信号Ｄ３、受信完了割り込み信号（ＲＸＩＮＴ）および回線品質情報Ｄｑをそれぞれ受けて送信クロック生成回路５１を制御する制御回路（ＣＰＵ）５７とを有している。
【００１９】
ここで、送信クロック生成回路５１が生成する送信クロック（ＴＸＣＬＫ）は、受信部４が生成する再生クロック（ＲＸＣＬＫ）と同一周波数且つ位相同期したクロック信号であり、ＰＬＬループを形成して送信クロック生成回路５１を制御することにより生成している。
【００２０】
また、一般にシステムクロック（ＳＹＳＣＬＫ）の周波数は、送信クロック（ＴＸＣＬＫ）の周波数よりも高く、例えば、送信クロックの周波数の６４倍である。
【００２１】
送信クロック生成回路５１は、例えば、システムクロック（ＳＹＳＣＬＫ）の周波数が送信クロックの６４倍である場合、システムクロック（ＳＹＳＣＬＫ）を６４分周し、この分周出力を制御回路５７から出力されるタイミング制御情報Ｄｔに応じてタイミング調整することにより、再生クロックに同期した送信クロック（ＴＸＣＬＫ）を出力する。
【００２２】
位相比較回路５３は、送信クロック（ＴＸＣＬＫ）と再生クロック（ＲＸＣＬＫ）との位相差を検出するに際して、システムクロック（ＳＹＳＣＬＫ）をカウントアップするカウンタを使用する。
【００２３】
図２は、位相比較回路５３の位相差検出動作を示す図である。
【００２４】
位相比較回路５３は、再生クロック（ＲＸＣＬＫ）の立上りでカウンタをリセットしてシステムクロック（ＳＹＳＣＬＫ）のカウントアップを開始させ、送信クロック（ＴＸＣＬＫ）の立上りでカウント値をラッチする。
【００２５】
このラッチされたカウント値が、再生クロック（ＲＸＣＬＫ）と送信クロック（ＴＸＣＬＫ）との位相差を示すことになる。
【００２６】
例えば、システムクロック（ＳＹＳＣＬＫ）の周波数が送信クロック（ＴＸＣＬＫ）の周波数の６４倍である場合、ラッチされるカウント値は「０」〜「６３」のいずれかの値となり、このカウント値が位相差データＤｏとして受信クロック毎に出力される。ここでは、位相差データＤｏとしてカウント値「７」が出力される場合を示している。
【００２７】
また、位相差を示すカウント値が、例えば、「０」〜「７」または「５６」〜「６３」の範囲をロック領域とし、「８」〜「３１」の範囲を遅れ領域とし、「３２」〜「５５」の範囲を進み領域として設定した場合を示している。
【００２８】
なお、位相差データの検出精度を高めるためには、システムクロック（ＳＹＳＣＬＫ）の周期を再生クロックの周期に比して十分に短くすればよい。
【００２９】
この位相差データＤｏは、位相差瞬時値回路５４と、位相差平均値回路５５と、位相差異常検知回路５６とにそれぞれ出力される。
【００３０】
位相差瞬時値回路５４は、受信スロット毎に周期的に出力される位相差データＤｏをラッチし、制御回路５７からのアクセスに応じて位相差瞬時値Ｄ１を出力する。
【００３１】
位相差平均値回路５５は、受信スロット期間での位相差データＤｏの平均値を算出し、制御回路５７からのアクセスに応じて位相差平均値Ｄ２を出力する。また、位相差異常検知回路５６は、受信スロット期間での位相差データＤｏの変動を監視し、位相差の変動幅が所定値を超えルような異常な変動が発生したときに警告信号Ｄ３を出力する。
【００３２】
なお、受信スロット期間が、例えば受信（送信）クロック周期の２８０倍であれば、受信スロット期間に位相差データＤｏが２８０回出力されることになるので、位相差平均値回路５５および位相差異常検知回路５６は、受信スロット期間に出力される位相差データＤｏに基づき平均値算出処理および異常検知処理をそれぞれ実行する。
【００３３】
図３は位相差異常検知回路５６における位相差の異常検知を説明する図である。
【００３４】
いま、送信クロック（ＴＸＣＬＫ）と再生クロック（ＲＸＣＬＫ）との位相が一致する点を中心に設けられた位相ロック範囲をロック領域とし、このロック領域を超えて１８０度までの位相遅れの範囲を遅れ領域とし、また、このロック領域を超えて１８０度までの位相進みの範囲を進み領域とする。
【００３５】
ここで、受信スロット期間内において送信クロック（ＴＸＣＬＫ）と再生クロック（ＲＸＣＬＫ）との位相差の変動が、ロック領域から遅れ領域を通過して進み領域に入ったとき、または、ロック領域から進み領域を通過して遅れ領域に入ったときに、異常な変動（揺らぎ）が発生したと判断して警告信号Ｄ３を出力する。
【００３６】
なお、この警告信号Ｄ３を出力する理由は、例えば、遅れ領域を通過して更に遅れたために進み領域に入った場合に、位相進みという誤った情報が出力されるからである。
【００３７】
このような受信スロット期間内の短時間の位相差変動は、例えば、移動端末機がフェージング環境下にある場合や干渉波を受信している場合等において、受信状態が悪化したために再生クロック（ＲＸＣＬＫ）が突発的に不安定になったときに発生すると考えられる。
【００３８】
制御回路５７は、位相差異常検知回路５６から警告信号Ｄ３を受けたときは、再生クロック（ＲＸＣＬＫ）が不安定であり、間違ったタイミング調整をする可能性があるので、送信タイミングの調整処理を実行すべきではないと判断し、送信クロックのタイミング調整処理を中止する。
【００３９】
ところで、警告信号Ｄ３は受信スロット期間内での位相差変動結果に基づき出力されるので、短い時間内での受信状態の変動に対応できる。しかし、受信スロット期間よりも長い期間での受信状態の変動を検出できない。このため、回線品質推定回路５２を設け、比較的に長い期間での受信状態の変動を推定するようにしている。
【００４０】
回線品質推定回路５２は、受信部４から出力される位相情報Ｄｐに基づきビットエラーレートを算出し、予め設定された期間（少なくとも受信スロット期間よりも長い期間）に亘りビットエラーレートを積算して平均値を求め、この平均ビットエラーレートに対応する予め定められた回線品質状態を示す回線品質情報Ｄｑを出力する。
【００４１】
例えば、平均ビットエラーレートが０．３％未満のときは回線品質情報Ｄｑを「０」とし、０．３％以上〜１．０％未満のときは「１」とし、１．０％以上〜３．０％未満のときは「２」とし、３．０％以上のときは「３」とする。この回線品質情報Ｄｑは制御回路５７へ出力される。
【００４２】
制御回路５７は、回線品質状態が予め設定した品質状態以上に劣化したとき、例えば、回線品質情報Ｄｑが「３」（平均ビットエラーレートが０．３％以上）のとき、受信状態が不安定であり送信タイミング調整動作を実行すべきではないと判断し、送信タイミングの調整処理を停止する。
【００４３】
図４は制御回路５７の動作を示すフローチャートである。
【００４４】
ここで、制御回路５７は、受信スロットの受信中に送信タイミング調整実行の可否判断やタイミング制御情報Ｄｔの生成処理等を行い、受信スロットの受信完了後に送信タイミング調整の制御を実行する。
【００４５】
まず、受信スロットの受信完了を示す受信完了割り込み信号（ＲＸＩＮＴ）の発生を待つ（ステップ１０１）。そして、受信完了割り込み信号（ＲＸＩＮＴ）を受けたとき、警告信号Ｄ３の有無を確認する（ステップ１０２）。
【００４６】
警告信号Ｄ３が出力されている場合は、該受信スロットの受信状態が不安定で送信タイミングの調整処理を実行すべきではないと判断し（ステップ１０２）、生成したタイミング制御情報Ｄｔを無効として送信クロック（ＴＸＣＬＫ）のタイミング調整処理を停止し（ステップ１０３）、ステップ１０１に戻る。
【００４７】
警告信号Ｄ３が出力されていない場合は（ステップ１０２）、回線品質情報Ｄｑを読出す（ステップ１０４）。ここで、回線品質状態が予め設定された状態よりも悪いときは、該受信スロットの受信状態が不安定であり送信タイミングの調整処理を実行すべきではないと判断し（ステップ１０５）、送信クロック（ＴＸＣＬＫ）のタイミング調整処理を停止してステップ１０１に戻る（ステップ１０３）。
【００４８】
また、回線品質状態が予め設定された状態よりも良好であるときは（ステップ１０５）、位相差平均値Ｄ２を読出す（ステップ１０６）。
【００４９】
ここで、位相差平均値Ｄ２が予め設定されたロック領域内である場合は、送信クロック（ＴＸＣＬＫ）のタイミング調整処理を行う必要がないので（ステップ１０７）、タイミング調整処理を行うことなくステップ１０１に戻る（ステップ１０３）。
【００５０】
また、位相差平均値Ｄ２が予め設定されたロック領域を超えている場合は、送信クロック（ＴＸＣＬＫ）のタイミング調整処理を行う必要があるので（ステップ１０７）、位相差瞬時値Ｄ１に基づきを生成したタイミング制御情報Ｄｔを、受信スロットの受信完了後に送信クロック生成回路５１へ送出してタイミング調整処理を行い（ステップ１０８）、ステップ１０１に戻る。
【００５１】
なお、タイミング制御情報Ｄｔの生成に使用する位相差瞬時値Ｄ１は、受信スロットの予め定めた時点、例えば、受信スロットの最終の位相差瞬時値Ｄ１を使用する。
【００５２】
このように、スロット毎に再生クロックの乱れを監視し、予め設定した値以上の乱れを検出したときは、送信タイミング調整機能を停止することにより、また、受信スロット期間よりも長い期間での回線品質状態を監視し、回線品質が予め設定した回線品質よりも劣化したときに、送信タイミング調整機能を停止することにより、フェージング環境下における送信タイミング調整の誤動作を防止でき、送信タイミングずれによる他の移動端末機および基地局に対する妨害や回線切断等の障害発生を防止できる。
【００５３】
図５は送信タイミング調整部の他の実施例を示すブロック図である。
【００５４】
図５に示した送信タイミング調整部６と図１に示した送信タイミング調整部５との相違点は、図１に示した位相差平均値回路５５および位相差異常検知回路５６に代えて、受信スロット期間内での位相差の分布状態を計測する位相差分布回路６５を設けている点である。
【００５５】
すなわち、送信タイミング調整部６は、システムクロック（ＳＹＳＣＬＫ）から送信クロック（ＴＸＣＬＫ）を生成する送信クロック生成回路６１と、受信部４から出力される位相情報Ｄｐに基づき回線品質を推定して回線品質情報Ｄｑを出力する回線品質推定回路６２と、送信クロック（ＴＸＣＬＫ）と再生クロック（ＲＸＣＬＫ）との位相差を検出する位相比較回路６３と、位相比較回路６３が出力する位相差データＤｏをラッチして位相差の瞬時値Ｄ１を出力する位相差瞬時値回路６４と、位相差データＤｏに基づき受信スロット期間での位相差の分布状態を計測して位相差分布情報Ｄ４を出力する位相差分布回路６５と、位相差瞬時値Ｄ１、位相差分布情報Ｄ４、受信完了割り込み信号（ＲＸＩＮＴ）および回線品質情報Ｄｑをそれぞれ受け送信クロック生成回路６１を制御する制御回路６６とを有している。
【００５６】
位相差分布回路６５は、例えば、システムクロック（ＳＹＳＣＬＫ）の周波数が送信クロックの６４倍である場合、位相比較回路６３から出力される位相差データＤｏ（カウンタのカウント値「０」〜「６３」）に基づき、例えば図６に示すように、受信スロット期間での位相差の分布状態を求めて位相差分布情報Ｄ４として出力する。なお、ここでは、位相差を示すカウント値が、例えば、「０」〜「７」または「５６」〜「６３」の範囲をロック領域としている。
【００５７】
制御回路６６は、位相差分布情報Ｄ４に基づき、受信スロット期間での位相差の分布状態を監視し、位相差がロック領域以外に異常に分布しているような分布状態になったときは、再生クロック（ＲＸＣＬＫ）が不安定であり、送信タイミングの調整処理を実行すべきではないと判断して送信クロックのタイミング調整処理を中止する。
【００５８】
図７は制御回路６６の動作を示すフローチャートである。
【００５９】
制御回路６６は、受信スロットの受信完了を示す受信完了割り込み信号（ＲＸＩＮＴ）の発生を待つ（ステップ２０１）。そして、受信完了割り込み信号（ＲＸＩＮＴ）を受けたとき、位相差分布情報Ｄ４を読出す（ステップ２０２）。
【００６０】
ここで、位相差分布状態が異常である場合は、該受信スロットの受信状態が不安定で送信タイミングの調整処理を実行すべきではないと判断し（ステップ２０３）、生成したタイミング制御情報Ｄｔを無効として送信クロック（ＴＸＣＬＫ）のタイミング調整処理を停止し（ステップ２０４）、ステップ１０１に戻る。
【００６１】
また、位相差分布状態が正常である場合は（ステップ２０３）、回線品質情報Ｄｑを読出す（ステップ２０５）。ここで、回線品質状態が予め設定された状態よりも悪いときは、該当受信スロットの受信状態が不安定であり送信タイミングの調整処理を実行すべきではないと判断し（ステップ２０６）、送信クロック（ＴＸＣＬＫ）のタイミング調整処理を停止して（ステップ２０４）、ステップ１０１に戻る。
【００６２】
また、回線品質状態が予め設定された状態よりも良好であるときは、位相差分布情報Ｄ４に基づき位相差がロック領域内に集中して分布しいるか否かを判定し、ロック領域内に集中している場合は（ステップ２０７）、送信クロック（ＴＸＣＬＫ）のタイミング調整処理を行うことなくステップ１０１に戻る（ステップ２０４）。
【００６３】
また、位相差がロック領域内に集中して分布しいない場合は、位相差瞬時値Ｄ１に基づきを生成したタイミング制御情報Ｄｔを、送信クロック生成回路５１へ送出してタイミング調整処理を行い（ステップ２０８）、ステップ１０１に戻る。
【００６４】
このように、受信スロット期間の位相差分布状態を監視し、位相差分布状態が位相差の異常な変動を示しているときは、送信タイミング調整機能を停止するようにしても、同様な効果が得られる。
【００６５】
【発明の効果】
以上説明したように本発明によれば、スロット毎に再生クロックの乱れを監視し、予め設定した値以上の乱れを検出したときは、送信タイミング調整機能を停止する手段を設け、また、少なくとも受信スロット期間よりも長い期間での回線品質状態を監視し、予め設定した値以上に回線品質が劣化したときに、送信タイミング調整機能を停止する手段を設けることにより、フェージング環境下における送信タイミング調整の誤動作を防止でき、送信タイミングずれによる他の移動端末機および基地局に対する妨害や回線切断等の障害発生を防止できる。
【図面の簡単な説明】
【図１】本発明の一実施形態を示すブロック図である。
【図２】図１に示した位相比較回路５３の位相差検出動作を示す図である。
【図３】図１に示した位相差異常検知回路５６における位相差の異常検知を説明する図である。
【図４】図１に示した制御回路５７の動作を示すフローチャートである。
【図５】送信タイミング調整部の他の実施例を示すブロック図である。
【図６】図５に示した位相差分布回路６５が出力する位相差分布情報Ｄ４の一例を示す図である。
【図７】図５に示した制御回路６６の動作を示すフローチャートである。
【符号の説明】
３    送信部
４    受信部
５，６    送信タイミング調整部
５１，６１    送信クロック生成回路
５２，６２    回線品質推定回路
５３，６３    位相比較回路
５４，６４    位相差瞬時値回路
５５    位相差平均値回路
５６    位相差異常検知回路
５７，６６    制御回路
６５    位相差分布回路
【図１】
0003721158.tif 000002
【図２】
0003721158.tif 000003
【図３】
0003721158.tif 000004
【図４】
0003721158.tif 000005
【図５】
0003721158.tif 000006
【図６】
0003721158.tif 000007
【図７】
0003721158.tif 000008